(57)【要約】      （修正有）【課題】ディスプレイ端末を別途用いることなく、ワイヤレスイヤホンのＧＵＩとして機能するクレードルを備えた音響再生装置を提供する。【解決手段】ワイヤレスイヤホン１と、ワイヤレスイヤホンを収納するクレードル５０とを備えた音響再生装置において、クレードル５０が、ワイヤレスイヤホン１を充電する充電池と、ワイヤレスイヤホン１の入出力インタフェースとして機能するタッチパネル５１とを備えている。ワイヤレスイヤホン１は、マイクロフォン６と、ワイヤレスイヤホンの再生レベルとマイクロフォン６から得た外部環境のモニタリングレベルとの音圧比率を調整するモニター信号調整部とを備える。モニター信号調整部は、タッチパネルを介して音圧比率の設定を受け付ける。【選択図】図１０
2019195179.tif 000002
【特許請求の範囲】
【請求項１】
ワイヤレスイヤホンと、前記ワイヤレスイヤホンを収納するクレードルとを備えた音響再生装置であって、
前記クレードルが、
前記ワイヤレスイヤホンを充電する充電池と、
前記ワイヤレスイヤホンの入出力インタフェースとして機能するタッチパネルとを備え、
前記ワイヤレスイヤホンが、
マイクと、
前記ワイヤレスイヤホンの再生レベルと前記マイクから得た外部環境のモニタリングレベルとの音圧比率を調整するモニター信号調整部とを備え、
前記モニター信号調整部は、前記タッチパネルを介して前記音圧比率の設定を受け付ける、音響再生装置。
【請求項２】
前記ワイヤレスイヤホンが、左耳用イヤホンと右耳用イヤホンとを含み、
前記左耳用イヤホンと前記右耳用イヤホンとが独立して構成された、請求項１に記載の音響再生装置。
【請求項３】
前記クレードルが、当該クレードルに収納されたワイヤレスイヤホンと接続するデータ転送ポートを備えた、請求項１または２に記載の音響再生装置。
【請求項４】
前記ワイヤレスイヤホンが、現在位置の座標情報を取得する位置取得部をさらに備えた、請求項１〜３のいずれか一項に記載の音響再生装置。
【請求項５】
前記ワイヤレスイヤホンが、他の端末との間で音声通話を行う音声通話部をさらに備えた、請求項１〜４のいずれか一項に記載の音響再生装置。
【請求項６】
前記ワイヤレスイヤホンが、前記ワイヤレスイヤホンの音響周波数特性を調整するイコライザー処理部をさらに備え、
前記イコライザー処理部は、前記タッチパネルを介して前記音響周波数特性の設定を受け付ける、請求項１〜５のいずれか一項に記載の音響再生装置。
【請求項７】
前記ワイヤレスイヤホンが、前記マイクから取り込んだ外部音を再生する補聴器として機能する、請求項１に記載の音響再生装置。
【請求項８】
前記タッチパネルが、左耳用と右耳用の設定を別個に受け付ける、請求項６または７に記載の音響再生装置。
【請求項９】
前記マイクから音声指示を受け付ける、請求項１に記載の音響再生装置。
【請求項１０】
映像コンテンツを再生可能な再生回路と、前記再生回路で再生した映像データをヘッドマウントディスプレイに転送可能なポートとをさらに備えた、請求項１〜９のいずれか一項に記載の音響再生装置。
【請求項１１】
前記映像コンテンツを格納可能な記録媒体を装着するスロットをさらに備えた、請求項１０に記載の音響再生装置。
【請求項１２】
前記映像コンテンツを受信するための通信制御媒体を装着するスロットをさらに備えた、請求項１０または１１に記載の音響再生装置。
【請求項１３】
前記ワイヤレスイヤホンが、書き込み可能なメモリー部をさらに備え、
前記クレードルに前記ワイヤレスイヤホンが収納された状態で、前記データ転送ポートを介して前記メモリー部への書き込みが可能である、請求項３に記載の音響再生装置。
【発明の詳細な説明】
【技術分野】
【０００１】
本発明は、プレーヤーに接続して使用されるイヤホン等の音響再生装置であって、特に、プレーヤーとの間でケーブル接続を要しないワイヤレス型の音響再生装置に関する。
【背景技術】
【０００２】
従来、オーディオプレーヤーやスマートフォン等の、音楽等の再生機能を有する装置（以降、「プレーヤー」と総称する。）に接続されて使用されるイヤホンとして、プレーヤーとの接続にケーブルを要しないワイヤレスイヤホンが知られている。ワイヤレスイヤホンは、Bluetooth（登録商標）等の無線通信でプレーヤーとペアリングすることによって、音楽用の信号を無線で受信し再生することができる。その結果、プレーヤーにケーブルで連結された有線型イヤホンに比べ、歩行時や運動時のケーブルの引っ掛けが無くなり、快適性や利便性がより向上する。
【０００３】
最近、市販されている完全ワイヤレスイヤホンの場合は、左右のイヤホンのそれぞれにバッテリーが内蔵されているため、左右のイヤホンを無線により互いに連結することが可能となり、より小型軽量化が実現されている。
【０００４】
しかし、完全ワイヤレスイヤホンの場合は、バッテリーが左右のイヤホンに内蔵されるので、バッテリーの外形サイズや厚みが限定される。このため、バッテリー容量を大きくすることができず、再生可能時間が数時間程度に限定される。そのため、視聴しないときには、バッテリーが内蔵されたケース（「クレードル」と呼ばれる。）にワイヤレスイヤホンを収納することによって、クレードルのバッテリーを利用してワイヤレスイヤホンを充電することができる（例えば下記の特許文献１参照）。
【先行技術文献】
【特許文献】
【０００５】
【特許文献１】特開２０１７−９９２５９号公報
【発明の概要】
【発明が解決しようとする課題】
【０００６】
イヤホンは小型であるため、イヤホン自体にはディスプレイを備えていない。近年、ワイヤレスイヤホンが高機能化を遂げ、ワイヤレスイヤホン内のセンサーで様々なデータを取得できるようになっているが、そのようなデータを目視で確認するためには、イヤホン以外にディスプレイ端末を使用することが必要である。また、ワイヤレスイヤホンの設定を変更する際にも、そのようなディスプレイ端末が必要となることがある。
【０００７】
本発明は、上記の課題を鑑み、ディスプレイ端末を別途用いることなく、ワイヤレスイヤホンのＧＵＩとして機能するクレードルを備えた音響再生装置を提供する。
【課題を解決するための手段】
【０００８】
上記の目的を達成するために、本発明の音響情報端末装置は、ワイヤレスイヤホンと、前記ワイヤレスイヤホンを収納するクレードルとを備えた音響再生装置であって、前記クレードルが、前記ワイヤレスイヤホンを充電する充電池と、前記ワイヤレスイヤホンの入出力インタフェースとして機能するタッチパネルとを備えている。
【発明の効果】
【０００９】
本発明の構成によれば、スマートフォンを持たなくても、ワイヤレスイヤホンだけでユーザに有益な情報を管理、提供することが可能な音響再生情報端末装置を提供することができる。
【図面の簡単な説明】
【００１０】
【図１】図１は、第１実施形態の音響再生装置を構成するワイヤレスイヤホンとクレードルの外観図
【図２】図２は、第１実施形態のワイヤレスイヤホンとクレードルの断面図
【図３】図３は、第１実施形態の音響再生装置の機能的な構成を示すブロック図
【図４】図４は、第２実施形態のクレードルとタッチパネル表示例１
【図５】図５は、第２実施形態のクレードルとタッチパネル表示例２
【図６】図６は、第２実施形態のワイヤレスイヤホンとクレードルのブロック図
【図７】図７は、第３実施形態のクレードルとタッチパネル表示例
【図８】図８は、第３実施形態のワイヤレスイヤホンとクレードルのブロック図
【図９】図９は、第４実施形態のクレードルとタッチパネル表示例
【図１０】図１０は、第４実施形態のワイヤレスイヤホンとクレードルのブロック図
【図１１】図１１は、第５実施形態のワイヤレスイヤホンとヘッドマウントディスプレイの概念図
【図１２】図１２は、第５実施形態のワイヤレスイヤホンとヘッドマウントディスプレイのブロック図
【発明を実施するための形態】
【００１１】
以下、本発明の実施形態について説明する。
【００１２】
なお、本願における「イヤホン」とは、ユーザが耳に装着して音を聞くために使用できるあらゆる構成の音響再生装置を意味する。「イヤホン」には、ユーザの外耳道に耳栓のように挿入されるタイプ（カナル型と呼ばれることがある。）と、外耳道には挿入されずに耳穴に浅く装着されるタイプ（インイヤー型またはインナーイヤー型等と呼ばれることがある。）があるが、ここでの「イヤホン」は両者を含む。
【００１３】
本発明の第１の構成に係る音響再生装置は、
ワイヤレスイヤホンと、前記ワイヤレスイヤホンを収納するクレードルとを備えた音響再生装置であって、
前記クレードルが、
前記ワイヤレスイヤホンを充電する充電池と、
前記ワイヤレスイヤホンの入出力インタフェースとして機能するタッチパネルとを備えている。
【００１４】
この構成によれば、スマートフォンを持たなくても、ワイヤレスイヤホンだけでユーザに有益な情報を管理、提供することが可能となる。
【００１５】
第２の構成に係る音響再生装置は、第１の構成において、
前記ワイヤレスイヤホンが、左耳用イヤホンと右耳用イヤホンとを含み、
前記左耳用イヤホンと前記右耳用イヤホンとが独立して構成されている。
【００１６】
この構成によれば、片方のイヤホンだけでも使用することが可能であり、左右の聴覚の違いに応じた周波数特性や好みに応じたイコライザー特性を設定することが可能な響情報端末装置を提供することができる。
【００１７】
第３の構成に係る音響再生装置は、第１または第２の構成において、
前記クレードルが、当該クレードルに収納されたワイヤレスイヤホンと接続するデータ
転送ポートを備えている。
【００１８】
この構成によれば、クレードルへの収納時に、ワイヤレスイヤホンの充電だけではなく、クレードル本体とデータ転送が可能となる。これにより、クレードルとワイヤレスイヤホンとの間で、短時間でデータ交換を行うことが可能となる。例えば、ワイヤレスイヤホンのファームウエアをアップデートすることも可能である。
【００１９】
第４の構成に係る音響再生装置は、第１〜第３のいずれかの構成において、
前記ワイヤレスイヤホンが、マイクを備えている。
【００２０】
この構成によれば、イヤホンに内蔵されたマイクを用いることで、クレードルの操作やスマートフォン等の外部機器の操作をハンズフリーで使用することが可能となる。
【００２１】
第５の構成に係る音響再生装置は、第１〜第４のいずれかの構成においてさらに、
前記ワイヤレスイヤホンが、ユーザの運動情報および生体情報の少なくとも一方を含むセンサー情報を取得するセンサー部を備え、
前記クレードルに、前記センサー情報を前記センサー部から受け取り、当該センサー情報に基づく表示を前記タッチパネル上で行うデータ処理部が設けられている。
【００２２】
この構成によれば、ユーザの運動の履歴や心拍数等を取得し、クレードルのタッチパネルにグラフ等で表示させることが可能となる。
【００２３】
第６の構成に係る音響再生装置は、第１〜第５のいずれかの構成においてさらに、
前記ワイヤレスイヤホンが、現在位置の座標情報を取得する位置取得部をさらに備えている。
【００２４】
この構成によれば、イヤホンがＧＰＳ等を利用した位置取得部を持つことで、例えばユーザがランニングをしている際に、走行中の位置情報や履歴を記録し、クレードルのディスプレイで確認することもできる。
【００２５】
第７の構成に係る音響再生装置は、第１〜第６のいずれかの構成においてさらに、
前記ワイヤレスイヤホンが、他の端末との間で音声通話を行う音声通話部をさらに備えている。
【００２６】
この構成によれば、イヤホンが音声通話機能を持つことによって、スマートフォンが無い状態でも通信会話することが可能となる。
【００２７】
第８の構成に係る音響再生装置は、第１〜第７のいずれかの構成においてさらに、
前記ワイヤレスイヤホンが、前記ワイヤレスイヤホンの音響周波数特性を調整するイコライザー処理部をさらに備え、
前記イコライザー処理部は、前記タッチパネルを介して前記音響周波数特性の設定を受け付ける。
【００２８】
この構成によれば、クレードルのタッチパネルで音質イコライジングを設定しディスプレイで確認することによって、ユーザの左右別々の聴覚や好みに合わせた音響特性を容易に設定することができる。
【００２９】
第９の構成に係る音響再生装置は、第８の構成において、前記ワイヤレスイヤホンがマイクを備え、前記マイクから取り込んだ外部音を再生する補聴器として機能する。
【００３０】
この構成によれば、ワイヤレスイヤホンを補聴器として利用することができる。また、クレードルのタッチパネルを使用することにより、利用者自身が、聞こえにくい周波数帯域の音圧を上げるといった調整を容易に行うことが可能となる。
【００３１】
第１０の構成に係る音響再生装置は、第４の構成においてさらに、
前記ワイヤレスイヤホンが、前記ワイヤレスイヤホンの再生レベルと前記マイクから得た外部環境のモニタリングレベルとの音圧比率を調整するモニター信号調整部をさらに備え、
前記モニター信号調整部は、前記タッチパネルを介して前記音圧比率の設定を受け付ける。
【００３２】
この構成によれば、クレードルのタッチパネルでオーディオプレーヤーなどの音楽の入力信号とマイクから収音された外部環境のモニタリングレベルの比率を設定することによって、屋外で音楽を視聴する場合でも外部音をモニタリングすることができるので、交通事故の防止等安全性が確保される。音楽を聴かない場合は、補聴器機能としても活用することができる。
【００３３】
第１１の構成に係る音響再生装置は、第８ないし第１０のいずれかの構成において、
前記タッチパネルが、左耳用と右耳用の設定を別個に受け付ける。
【００３４】
この構成によれば、クレードルのタッチパネルでオーディオプレーヤーなどの音楽の入力信号とマイクから収音された外部環境のモニタリングレベルの比率を左右イヤホン毎に設定することによって、例えば、左耳は音楽用、右耳は補聴器機能と区別して使用することもできる。
【００３５】
第１２の構成に係る音響再生装置は、第４の構成において、
前記マイクから音声指示を受け付ける。
【００３６】
この構成によれば、例えば、オーディオプレーヤーなどの音楽の入力信号とマイクから収音された外部環境のモニタリングレベルの比率の設定等を、音声で指示することができる。
【００３７】
第１３の構成に係る音響再生装置は、第５の構成において、
前記データ処理部が、前記センサー情報に基づく表示を前記タッチパネルにおいてリアルタイムで更新する。
【００３８】
この構成によれば、Bluetoothで接続されたクレードルのディスプレイに心拍数や消費
カロリー等をリアルタイムで表示することが可能である。
【００３９】
第１４の構成に係る音響再生装置は、第５の構成において、
前記センサー部が、ユーザの左右の耳から前記センサー情報を取得し、
前記データ処理部が、前記左右の耳から取得された前記センサー情報を、前記タッチパネルにおいて左右を比較可能な態様で表示する。
【００４０】
この構成によれば、右耳と左耳のセンサー情報を比較することで、ユーザ自身の体調や運動機能の変化、集中状態をより正確に管理することができる。
【００４１】
第１５の構成に係る音響再生装置は、第１〜第１４の構成において、
映像コンテンツを再生可能な再生回路と、前記再生回路で再生した映像データをヘッドマウントディスプレイに転送可能なポートとをさらに備えている。
【００４２】
この構成によれば、ヘッドマウントディスプレイとワイヤレスイヤホンとを連動させて、ＡＲやＶＲ等のコンテンツを視聴することが可能となる。また、ヘッドマウントディスプレイとワイヤレスイヤホンとを有線接続とすれば、無線接続する場合に比べて、データの遅延が発生しにくいため、解像度の高い映像データや音声データを遅延なく再生することができる。
【００４３】
第１６の構成に係る音響再生装置は、第１５の構成において、
前記ワイヤレスイヤホンが、前記映像コンテンツを格納可能な記録媒体を装着するスロットをさらに備えている。
【００４４】
この構成によれば、ワイヤレスイヤホン本体にメモリーカード等の記録媒体を装着することにより、仮想現実コンテンツまたは拡張現実コンテンツの解像度の高い映像コンテンツや音声データをワイヤレスイヤホンに保存することができる。これにより、ストリーミング等を要せずに映像コンテンツを視聴することが可能となる。
【００４５】
第１７の構成に係る音響再生装置は、第１５または第１６の構成において、
前記ワイヤレスイヤホンが、前記映像コンテンツを受信するための通信制御媒体を装着するスロットをさらに備えている。
【００４６】
この構成によれば、ワイヤレスイヤホン本体にＳＩＭカード等の通信制御媒体を内蔵することにより、仮想現実コンテンツまたは拡張現実コンテンツ等のストリーミング映像を楽しむことができる。
【００４７】
第１８の構成に係る音響再生装置は、第３の構成において、
前記ワイヤレスイヤホンが、書き込み可能なメモリー部をさらに備え、
前記クレードルに前記ワイヤレスイヤホンが収納された状態で、前記データ転送ポートを介して前記メモリー部への書き込みが可能である。
【００４８】
この構成によれば、例えば、ワイヤレスイヤホンのファームウエアをバージョンアップする場合のように、比較的容量の大きいデータ転送が必要な場合に、クレードルのデータ転送ポートを介して、ワイヤレスイヤホンのメモリー部を短時間で更新することが可能となる。
【００４９】
以下、本発明のより具体的な実施形態について、図面を参照しながら説明する。
[第１の実施形態］
図１は、第１実施形態の音響再生装置を構成するワイヤレスイヤホンとクレードルの外観図である。図２は、第１実施形態のワイヤレスイヤホンとクレードルの断面図である。図３は、第１実施形態の音響再生装置の機能的な構成を示すブロック図である。
【００５０】
本実施形態の音響再生装置は、図１に示すように、ワイヤレスイヤホン１とクレードル５０とを備えている。ワイヤレスイヤホン１は、プレーヤー（図３の例ではスマートフォン８０）と無線通信で接続され、音楽等を再生する。クレードル５０は、ワイヤレスイヤホン１を持ち運ぶ際に収納するケースであると共に、ワイヤレスイヤホン１を充電することができる。
【００５１】
本実施形態の音響再生装置は、クレードル５０がタッチパネル（タッチパネル式ディスプレイ）５１を備えている点が一つの特徴である。本実施形態の音響再生装置では、ワイヤレスイヤホン１をクレードル５０に格納すると、ワイヤレスイヤホン１に蓄積されているデータをクレードル５０のタッチパネル５１に表示させたり、タッチパネル５１をＧＵ
Ｉとして利用して、ワイヤレスイヤホン１の各種設定を行ったりすることが可能である。これにより、ユーザは、スマートフォン８０を使用しなくても、クレードル５０を利用してワイヤレスイヤホン１から有益なデータを得たり、ワイヤレスイヤホン１の設定操作をしたりすることができる。
【００５２】
図１は、本実施形態のワイヤレスイヤホン１とクレードル５０の外観図の例を示す。左図は、ワイヤレスイヤホン１の格納前、右図は格納後の形態を示す。左耳用ワイヤレスイヤホン１ａと右耳用ワイヤレスイヤホン１ｂは各々バッテリーが内蔵されているが、バッテリーの残量が少なくなった場合、充電する必要がある。クレードル５０は、内部に左耳用ワイヤレスイヤホン用スペース５８ａと右耳用ワイヤレスイヤホン用スペース５８ｂが設けられており、充電時は、左耳用ワイヤレスイヤホン１ａを左耳用ワイヤレスイヤホン用スペース５８ａに、右耳用ワイヤレスイヤホン１ｂを右耳用ワイヤレスイヤホン用スペース５８ｂに、それぞれ格納することができる。クレードル５０の上部には、開閉式のトップカバー５２が設けられており、埃や水分が侵入することを防いでいる。クレードル５０の正面にはタッチパネル５１が設けられている。
【００５３】
従来は、ワイヤレスイヤホンの各種設定操作を行う場合には、スマートフォンやスマートウォッチ等をワイヤレスイヤホンに接続し、これらの機器を介して設定操作指示を入力していた。本実施形態の構成によれば、ユーザは、タッチパネル５１を使用して様々なメニューを呼び出して画面上でタッチ操作を行うことによって、スマートフォンやスマートウォッチが無くても、ワイヤレスイヤホン１の設定操作を行うことができる。例えば、ワイヤレスイヤホン１の音響特性の設定や、ワイヤレスイヤホン１の外部モニター機能の設定等を行うことができる。なお、設定操作の詳細については、後の実施形態で説明する。
【００５４】
図２は、ワイヤレスイヤホン１ａとクレードル５０の内部構造の例を示す。左図は、左耳用ワイヤレスイヤホン１ａの格納前、右図は格納後の形態を示す。なお、図２には、左耳用ワイヤレスイヤホン１ａを例示し、以下の説明も左耳用ワイヤレスイヤホン１ａについてのみ行うが、右耳用ワイヤレスイヤホン１ｂも同様の構造を有する。
【００５５】
左耳用ワイヤレスイヤホン１ａには円形の音響スピーカー２が内蔵され、コイン型バッテリー５が同芯上に配置されている。ＰＣＢ４にはプロセッサー回路やメモリー回路等が搭載される。マイクロホン６は音声入力用や外部モニター用として使用される。センサーユニット７は、加速度センサー、ジャイロセンサー、心拍センサー等で構成されている。ワイヤレスイヤホン１のマルチファンクションボタン８を押すことによって、ワイヤレスイヤホン１のＯＮ／ＯＦＦやスマートフォン８０との接続、ボリューム調整等を行うことができる。
【００５６】
プリント基板（ＰＣＢ）４の下部には、ＵＳＢのＴｙｐｅ−Ｃ（登録商標）コネクタ３が設けられている。ワイヤレスイヤホン１をクレードル１内に押し込むと、Ｔｙｐｅ−Ｃコネクタ３がクレードル５０のＴｙｐｅ−Ｃコネクタ５３に接続される。クレードル５０の内部には、プリント基板５４およびバッテリー５５が設けられている。バッテリー５５は、ＵＳＢ端子（図示せず）を通して外部のＡＣ電源等から充電される。ワイヤレスイヤホン１ａ，１ｂはクレードル５０とＢｌｕｅｔｏｏｔｈで通信することによって、ワイヤレスイヤホン１のセンサーで取得したデータを、ディスプレイ５１にリアルタイムで表示することも可能である。
【００５７】
Ｔｙｐｅ−Ｃコネクタ５３を使用することにより、ワイヤスイヤホン１やクレードル５０に異物混入によってショートが発生した場合でも、USB Type-Cの充電規格に定義された専用ICによる充電側と充電される側の認証技術によって異常検出が可能であるため、安全性を向上させることができる。またUSBは世界統一規格であり、幅広く使用されているこ
とから、多種多様なバッテリー機器と接続することが可能であることから、ユーザの選択範囲が広い。最近モバイル機器の充電に関する安全認証団体MCPC（モバイルコンピューティング推進コンソーシアム）が立ち上げられ、MCPCによる安全を確保する回路が施されているかを見極める認証制度も実施されている。認証合格製品には認証マークが付与され、粗悪品との区別を容易に識別することが可能である。USBは統一規格品のため、コネクタそのものの信頼性が高く、認証試験においても安全回路が実証出来れば、製品の安全性は高く評価され、認知されることになる。
【００５８】
図３は、本実施形態に係る音響情報端末装置の機能的な構成要素を示すブロック図である。ワイヤレスイヤホン１は、スピーカー２、マイクロホン６、センサーユニット７、ＵＳＢ  Ｔｙｐｅ−Ｃのコネクタ３、コインバッテリー５、マルチファンクションボタン８、ＧＰＳ９、ＬＥＤ１０、プロセッサー回路１１を備えている。プロセッサー回路１１の内部には、コーデック用エンコーダー部２１、メモリー部２２、Ｂｌｕｅｔｏｏｔｈモジュール２３、センサー信号処理部２４、イコライザー処理部２５、モニター信号調整部２６を備えている。クレードル５０は、タッチパネル５１、バッテリー５５、ＵＳＢ端子５７、ログデータ処理部５６を備えている。スマートフォン８０とワイヤレスイヤホン１は、コネクタ３でデータを送受信することができる。
【００５９】
以上のとおり、本実施形態にかかる音響再生装置は、クレードル５０がタッチパネル５１を備えたことが一つの特徴である。タッチパネル５１は、ワイヤレスイヤホン１のＧＵＩとして用いることができるので、スマートフォン８０を使用しなくても、ワイヤレスイヤホン１を操作することが可能である。クレードル５０は、ワイヤレスイヤホン１の収納ケースでもあるので、ワイヤレスイヤホン１と共にユーザが常時携帯するものである。クレードル５０にワイヤレスイヤホン１のＧＵＩとしてのタッチパネル５１を設ければ、ユーザに、ワイヤレスイヤホン１をクレードル５０に収納することを習慣付けさせることもできる。これにより、ワイヤレスイヤホン１の紛失を防止できるという効果も得られる。
【００６０】
プロセッサー回路１１のメモリー部２２をフラッシュメモリー等の書き換え可能な記録装置で構成することで、ワイヤレスイヤホン１のファームウエアのバージョンアップが可能となる。ワイヤレスイヤホンのファームウエアを無線通信によって書き換えることは、単なるバグ修正のようにデータ量が少ない場合は可能であるが、新たな機能を追加する場合等のように書き換えるファームウエアのデータ量が大きい場合は、無線通信ではデータ転送速度や容量が限られる。このため、無線通信でのみファームウエアのバージョンアップが可能な構成の場合は、機能追加も限定的になるという欠点がある。これに対して、本実施形態のように、クレードル５０とワイヤレスイヤホン１との間をＵＳＰ  Ｔｙｐｅ−Ｃのコネクタ３で接続可能な構成とすれば、あらかじめクレードル５０のメモリー（図示せず）にファームウエアをダウンロードしておくことにより、ワイヤレスイヤホン１をクレードル５０に収納することにより、クレードル５０からワイヤレスイヤホン１のメモリー部２２へファームウエアを読み込んで、ファームウエアのバージョンアップをすることができる。なお、クレードル５０のメモリーへのファームウエアの読み込みは、ＵＳＢ端子５７をＰＣ等に接続することによって行うことができる。
【００６１】
なお、クレードル５０を介してファームウエアをバージョンアップする以外に、ワイヤレスイヤホン１のＵＳＢ  Ｔｙｐｅ−Ｃコネクタ３を使用して、ＰＣ等にワイヤレスイヤホン１を直接接続してＰＣからファームウエアをダウンロードすることも可能である。
【００６２】
以上のように、ワイヤレスイヤホン１は、ＵＳＢ  Ｔｙｐｅ−Ｃコネクタ３を有することにより、データ容量の大きいファームウエアを短時間で読み込んでバージョンアップすることが可能である。例えば最近は、ＡＩ(Artificial Intelligence)と呼ばれる、より高度な音声認識システムや自動翻訳機能等の学習機能をイヤホンのプロセッサー回路１１で処理することが期待されている。本実施形態の構成は、将来のＡＩ新機能や生体信号の処理機能等を追加する際にも有効である。
【００６３】
例えば、ワイヤレスイヤホン１にＡＩ機能を持たせた場合、クレードル５０にスピーカー（図示省略）を設ければ、クレードル５０をＡＩスピーカーとして利用することも可能である。ＡＩスピーカーとは、対話型の音声操作に対応したＡＩアシスタントを利用可能なスピーカーであり、最近は、インターネットを介した音楽鑑賞、検索サービスの利用、買い物等の様々な用途に広く用いられている。この構成によれば、ワイヤレスイヤホン１のＡＩ機能からの出力（例えば、ＡＩからの情報提供、アドバイス、音楽等）を、ワイヤレスイヤホン１の装着者だけでなく、周囲の友人や家族も聞くことができる。また、クレードル５０は持ち運びが可能であるため、据え付け式のＡＩスピーカーとは異なり、屋外や車内等の様々な場所で、ワイヤレスイヤホン１のＡＩ機能を利用することができるという利点もある。
【００６４】
また、この場合、クレードル５０にスピーカーだけでなく、マイクロホン（図示省略）を設ければ、ワイヤレスイヤホン１の利用者以外が、クレードル５０のマイクロホンを介して、ＡＩ機能へ音声で指示を出すことも可能となる。
【００６５】
また、ワイヤレスイヤホン１はディスプレイを備えていないので、ワイヤレスイヤホン１に蓄積されたデータを目視で確認したり、設定内容を見ながら変更したりする場合には、従来は、スマートウォッチやスマートフォン等のディスプレイ端末が必要とされることがあった。これに対して、本実施形態にかかる音響再生装置によれば、そのようなディスプレイ端末は不要であるため、デバイス間の連携を簡素化することができ、ユーザの経済的な負担も軽減できる。
【００６６】
なお、タッチパネル５１をＧＵＩとして用いたワイヤレスイヤホン１の操作は、ワイヤレスイヤホン１をクレードル５０に収容せずに、耳に装着した状態においても可能である。この場合は、ワイヤレスイヤホン１とクレードル５０とは、Ｂｌｕｅｔｏｏｔｈ経由で通信を行う。
【００６７】
[第２の実施形態]
本発明の第２の実施形態について以下に説明する。なお、第１の実施形態において説明した構成と同じ機能を有する構成については、同じ参照符号を付記し、その詳細な説明は省略する。後述する各実施形態においても同様とする。
【００６８】
図４および図５は、第２実施形態のクレードル５０のタッチパネル５１の表示の一例である。左図は、フィットネスログデータのメニュー画面６０、右図はメニューで選択されたログデータをグラフ化して表示するグラフ表示画面６１である。
【００６９】
本実施形態において、センサーユニット７は、加速度センサー、ジャイロセンサー、心拍センサー等を有している。センサーユニット７で取得されたデータは、プロセッサー１１のセンサー信号処理部２４に取り込まれて処理され、メモリー部２２に蓄積される。これにより、ユーザがワイヤレスイヤホン１を装着して運動すると、運動に関するデータ（例えば、歩いたまたは走った距離、歩数、速度、消費カロリー、心拍数等）をメモリー部２２に蓄積することができる。
【００７０】
本実施形態では、ワイヤレスイヤホン１がクレードル５０に格納されると、メモリー部２２に蓄積されたデータがコネクタ３経由でクレードル５０へ転送され、ログデータ処理部５６がこれを受け取る。ログデータ処理部５６は、ワイヤレスイヤホン１のメモリー部２２から転送されたデータを処理してグラフ等を生成し、タッチパネル５１へ表示する。
【００７１】
なお、センサーユニット７およびメモリー部２２は、左耳用ワイヤレスイヤホン１ａおよび右耳用ワイヤレスイヤホン１ｂのいずれか一方のみに設けても良いし、両方に設けても良い。
【００７２】
センサーユニット７およびメモリー部２２を、左耳用ワイヤレスイヤホン１ａおよび右耳用ワイヤレスイヤホン１ｂの両方に設けた場合、左耳と右耳のそれぞれからセンサーデータが取得され、メモリー部２２に蓄積される。また、この場合は、クレードル５０にワイヤレスイヤホン１が格納されると、左耳用ワイヤレスイヤホン１ａのメモリー部２２と右耳用ワイヤレスイヤホン１ｂのメモリー部２２のそれぞれから、クレードル５０のログデータ処理部５６へデータが送られる。これにより、ログデータ処理部５６が、左右の耳のログデータの処理結果を別々に表示させることもでき、身体の機能やバランスの変化をモニターすることができる。勿論、両方のワイヤレスイヤホンを常時装着するのは抵抗がある場合は、左右どちらか片方のワイヤレスイヤホンの装着であっても同様の効果が期待できる。
【００７３】
図４の例では、タッチパネル５１において、左図に示すように、ユーザが距離（ｄｉｓｔａｎｃｅ）をタッチ操作によって選択すると、右図に示すように、タッチパネル５１の表示が、ログデータ処理部５６の処理結果として、走行距離のグラフを表示するように切り替わる。グラフの横には、今日の走行距離、所定期間内の最長走行距離、平均走行距離が数値（テキスト）で表示されている。
【００７４】
また、図５に示す例では、左図に示すように、ユーザが心拍数（Ｈｅａｒｔ  Ｒａｔｅ）を選択すると、右図に示すように、タッチパネル５１の表示が、心拍波形を表示するように切り替わる。心拍波形の横には、現在の心拍数、所定期間内の最大心拍数、平均心拍数が、テキストとして表示されている。ユーザがワイヤレスイヤホン１を装着中であっても、ワイヤレスイヤホン１とクレードル５０との間はBluetoothで接続できるので、センサー信号処理部２４の出力をリアルタイムで表示することができる。例えばワイヤレスイヤホン１で音楽を聴きつつヨガで運動しながらでも、タッチパネル５１に表示された画面で自分の体の現状を把握することができる。図５では、左耳または右耳から検出した生体データを表示しているが、左耳と右耳の両方の検出データを比較して表示することも可能である。左右の検出データを比較することによって、身体の機能やバランスの変化をモニターすることができる。
【００７５】
なお、心拍数を検出する方法としては、心拍センサー以外に、血管の脈動に伴う皮膚または鼓膜部分の振動によって生じる空気の振動を検出できるマイクロホンを用いて、マイクロホンと振動源とを閉じた状態にして脈動性信号を検出する測定器を利用することも可能である。
【００７６】
図６は、第２実施形態のワイヤレスイヤホンとクレードルのブロック図である。図６で示したブロック図の機能の一例について説明する。ユーザが「今日の健康状態は？」と音声で質問すると、マイクロホン６が音声を検出し、プロセッサー１１が音声認識後、メモリー部２２及びクレードル５０のログデータ処理部５６に蓄積された過去データと、センサーユニット７から検出されたリアルタイムデータとを比較した計算結果をユーザに対してスピーカーでメッセージを伝達する。例えば「もう少しリラックスしましょう」と音声で適切なアドバイスをすることができる。またユーザが長距離をランニング中の場合は、ＧＰＳ９による位置情報と走行距離を算出した結果、目的地までの距離やラップタイム、体調などを音声で伝達することもできる。
【００７７】
以上のとおり、本実施形態の音響再生装置によれば、ワイヤレスイヤホン１のセンサーによって取得された運動情報や生体情報の分析結果を、充電時またはリアルタイムで、クレードル５０のタッチパネル５１に表示させることができる。
【００７８】
従来、ウエアラブル端末としてのスマートウォッチであって、ユーザの手首から心拍センサーで心拍数を検出し、ＧＰＳ機能を使って走行距離や消費カロリーを検出し、それらの検出結果を文字盤ディスプレイにリアルタイムを表示するものはあった。ただし、このようなスマートウォッチの場合、過去のトレーニング履歴を確認する場合は、スマートウォッチをスマートフォンに転送する必要があった。これに対して、本実施形態にかかる音響再生装置は、スマートフォンを必要とせずに、過去のデータやその分析結果を確認することができる。
【００７９】
また、本実施形態において、ログデータ処理部５６の処理結果に応じたアドバイスをクレードル５０のタッチパネル５１に表示出力する際に、有名なアスリート等の画像が表示されるようにしても良い。また、アドバイスをクレードル５０のスピーカーから出力する際に、有名なアスリート等の声で再生するようにしても良い。これにより、運動を継続するためのモチベーションを向上させることができる。
【００８０】
［第３の実施形態］
第３の実施形態の音響再生装置について、以下に説明する。本実施形態にかかる音響再生装置は、ユーザがワイヤレスイヤホン１を装着した状態でクレードル５０のタッチパネル５１を操作することにより、ワイヤレスイヤホン１の周波数特性を設定することができる。
【００８１】
図７は、クレードル５０のタッチパネル５１の表示例である。この例では、オーディオのイコライザー特性を調整するためのメニュー７０が、タッチパネル５１にＧＵＩ表示されている。各周波数のレベルを、メニュー７０内に表示されるスライドバーに指でタッチして上下にスライドさせて動かすことによって、イヤホン１の周波数特性を好みに応じて設定することができる。なお、この例では、ＲチャンネルとＬチャンネルの両方を同時に設定する場合を図示しているが、各チャンネルを別々に設定することも可能である。
【００８２】
図８は、図３に示した機能的ブロックの内、上記の周波数特性を設定する処理に関与するブロックを抜き出して示したものである。言い換えれば、本実施形態の機能を実現するだけであれば、図３に示した機能ブロックの内、図８に示されていない機能ブロックを省略することができる。
【００８３】
ユーザがクレードル５０のタッチパネル５１を操作すると、操作に応じた指示が、クレードル５０とワイヤレスイヤホン１との間のＢｌｕｅｔｏｏｔｈ接続を介して、プロセッサー回路１１のイコライザー処理部２５へ送られる。なお、タッチパネル５１とイコライザー処理部２５との間の通信には、エンコーダー２１、メモリー部２２、およびＢｌｕｅｔｏｏｔｈモジュール２３等も関与しているが、図８においてはその図示は省略されている。イコライザー処理部２５は、指示にしたがって各周波数帯域のレベルを変更し、変更後の周波数特性にしたがった再生音をスピーカー２に出力する。なお、このときの再生音の音源は、プレーヤー８０から供給されたものであっても良いし、メモリー部２２に格納されていたものであっても良い。
【００８４】
以上のとおり、本実施形態においては、ワイヤレスイヤホン１を耳に装着した状態でクレードル５０のタッチパネル５１を操作することにより、ワイヤレスイヤホン１のスピーカー２からの再生音を聞きながら、ワイヤレスイヤホン１のイコライザー特性を調整することができる。
【００８５】
なお、上記の説明においては、ユーザがワイヤレスイヤホン１を耳に装着して再生音を聞きながらイコライザー特性を調整する例を説明したが、クレードル５０内にワイヤレスイヤホン１を格納した状態で、イコライザー特性を調整することも可能である。
【００８６】
なお、本実施形態にかかる構成は、ワイヤレスイヤホン１を補聴器として使用する形態に応用することができる。すなわち、上記の説明においては、ワイヤレスイヤホン１でオーディオを再生する際の周波数特性の設定を例示したが、ワイヤレスイヤホン１がマイクロホン６（図２、図３参照）を備え、マイクロホン６から外部音を取り込んで再生する構成とすれば、ワイヤレスイヤホン１を補聴器として使用することができる。
【００８７】
なお、聞こえにくい周波数帯域の分布は人によって異なるので、従来の補聴器は、使用者が補聴器の専門店（取扱店）に行き、専門家に調整をしてもらう必要があった。本実施形態の構成によれば、ワイヤレスイヤホン１を装着した利用者が、マクロホン６から取り込んだ外部音の再生を聞きながら、クレードル５０のタッチパネル５１を操作して再生音の周波数特性を調整することができる。すなわち、図７に示したタッチパネル５１の表示画面において、利用者が、それぞれの周波数帯域毎に、外部音の再生音が聞き取れる音圧になるように、調整を行う。これにより、補聴器の専門店等へ行かなくても、利用者が自分で補聴器の調整を容易に行うことが可能となる。
【００８８】
また、音声テストツール（ソフトウェア）を準備し、クレードル５０を介してこの音声テストツールをワイヤレスイヤホン１のメモリー部２２へダウンロードし、ワイヤレスイヤホン１のプロセッサー回路１１で実行するようにすれば、例えば、定期的なテストや微調整等を利用者自らが手軽に行うことも可能となる。
【００８９】
[第４の実施形態]
図９は、第４実施形態のクレードルとタッチパネルの表示例であり、音楽再生レベルと外部モニターの音圧比のレベル調整メニュー７１を表示している。ユーザはタッチパネル５１で、音楽再生レベルおよび外部モニタリングレベルを指で左右にスライドさせて動かすことによって、好みに応じた音圧比で視聴することができる。例えば、屋外を歩行する場合は、安全性のために音楽６０％、モニタリング４０％に設定し、室内では音楽９０％、モニタリングを１０％に設定する等、ユーザの行動や環境に応じて音圧比を設定することができる。音楽を再生しない場合は、音楽レベルをＯＦＦ、外部モニタリングレベルのみＯＮにすれば、ワイヤレスイヤホン１を補聴器として使用することができる。勿論、左耳と右耳で異なった聴力、特性を補うために左耳と右耳を別々に設定することができる。
【００９０】
図１０は、図３に示した機能的ブロックの内、上記の音圧比を設定する処理に関与するブロックを抜き出して示したものである。言い換えれば、本実施形態の機能を実現するだけであれば、図３に示した機能ブロックの内、図１０に示されていない機能ブロックを省略することができる。
【００９１】
ユーザがクレードル５０のタッチパネル５１を操作すると、操作に応じた指示が、クレードル５０とワイヤレスイヤホン１との間のＢｌｕｅｔｏｏｔｈ接続を介して、プロセッサー回路１１のモニター信号調整部２６へ送られる。なお、タッチパネル５１とイコライザー処理部２５との間の通信には、エンコーダー２１、メモリー部２２、およびＢｌｕｅｔｏｏｔｈモジュール２３等も関与しているが、図１０においてはその図示は省略されている。モニター信号調整部２６は、指示にしたがって音楽再生レベルと外部モニタリングレベルとの比率を変更し、変更後の音圧比にしたがった再生音をスピーカー２に出力する。なお、このときの再生音の音源は、プレーヤー８０から供給されたものであっても良いし、メモリー部２２に格納されていたものであっても良い。
【００９２】
以上のとおり、本実施形態においては、ワイヤレスイヤホン１を耳に装着した状態でクレードル５０のタッチパネル５１を操作することにより、ワイヤレスイヤホン１のスピーカー２からの再生音を聞きながら、ワイヤレスイヤホン１のイコライザー特性を調整することができる。
【００９３】
なお、上記の説明においては、ユーザがワイヤレスイヤホン１を耳に装着して再生音を聞きながら、音楽再生レベルと外部モニタリングレベルとの比率を調整する例を説明したが、クレードル５０内にワイヤレスイヤホン１を格納した状態で調整を行うことも可能である。
【００９４】
[第５の実施形態]
図１１は、第５実施形態のワイヤレスイヤホンとヘッドマウントディスプレイの概念図である。本実施形態は、ヘッドマウントディスプレイ１００にさらに備えた映像音響再生装置に関するものである。
【００９５】
右耳用ワイヤレスイヤホン１ｂのＵＳＢ端子とヘッドマウントディスプレイ（以下、「ＨＭＤ」と略称する。）１００のＵＳＢ端子をＵＳＢケーブル１０１で接続することで、ワイヤレスイヤホン１ｂに蓄積された映像情報をＨＭＤ１００で視聴することができる。ＨＭＤの映像処理回路はワイヤレスイヤホン１ｂの筐体内に構成されている。映像データはメモリーカード１０２に保存することもできる。すなわち、ワイヤレスイヤホン１は、メモリーカード１０２を装着するスロットを有している。
【００９６】
また、ワイヤレスイヤホン１は、ＳＩＭカード１０３を内蔵するスロットも有している。ＳＩＭカード１０３を装着することにより、電話通信も可能となるだけでなく、映像と音声のストリーミング再生も可能になる。図１１では、ＶＲ（Virtual Reality）用のＨＭＤ１００を例示しているが、ＡＲ（Augmented Reality）用のＨＭＤ１００を用いることも可能である。左右のワイヤレスイヤホン１ａ・１ｂはＢｌｕｅｔｏｏｔｈで接続されているので、左右のイヤホンのどちらかにＵＳＢケーブル１０１を接続すれば、ステレオ音声で視聴できる。ユーザは、片側のワイヤレスイヤホン１個でＨＭＤ１００の映像に対応する音響を聞くことができるので、外出時等に外部の音も同時に聞きたい場合は、片側のワイヤレスイヤホン１個のみを装着するようにすれば良い。このような状態で、ＡＲ用ＨＭＤでＡＲコンテンツを安全に楽しむことができる。もちろん両方のイヤホンをＨＭＤに接続してもよいし、メモリーカード１０２およびＳＩＭカード１０３を左右いずれか一方のワイヤレスイヤホン１に内蔵してもよい。
【００９７】
図１２は、第５実施形態のワイヤレスイヤホン１とヘッドマウントディスプレイ１００のブロック図である。ワイヤレスイヤホン１は、通信部１０３（例えばＳＩＭカード）と、メモリー部１０２（例えばメモリーカード）とをさらに備えている。なお、図１２においては図示を省略しているが、本実施形態のワイヤレスイヤホン１においても、図３等で示した機能ブロックは存在する。
【００９８】
ＨＭＤ１００は、ディスプレイ部１０５、ディスプレイ駆動部１０６、ＨＭＤ姿勢検出用センサー１０７で構成される。ワイヤレスイヤホン１とＨＭＤ１００は、ＵＳＢケーブル１０１で接続される。ストリーミングの映像データと音声データが通信部１０３より入力され、メモリー部１０２に蓄積される。プロセッサー回路１１は映像及び音声データをデコードする。映像データは、ＵＳＢケーブルを介してＨＭＤ１００へ転送され、ディスプレイ駆動部１０６が映像データに応じてディスプレイ部１０５の表示を制御する。音声はスピーカー２に出力される。ＨＭＤ姿勢検出用センサー部１０７はユーザの姿勢を検出し、その検出情報はＵＳＢケーブル１０１を経由してプロセッサー回路１１に送られる。プロセッサー回路１１ではユーザの視聴している映像情報と音声情報をレンダリング処理
することによって、臨場感の高い映像と音声を再生することができる。バッテリー５はワイヤレスイヤホン部１に内蔵されているが、さらに長時間再生を実現するために、ＨＭＤ１００内に追加のバッテリーが設けられていてもよい。
【００９９】
以上、特定の実施形態を参照しながら、本明細書で開示する技術について詳細に説明した。しかしながら、本明細書で開示する技術の要旨を逸脱しない範囲で当事者が該実施形態の修正や代用を成し得ることは自明である。
【符号の説明】
【０１００】
１    ワイヤレスイヤホン
２    音響スピーカー
３    ＴｙｐｅＣコネクタ
５    コイン型バッテリー
５０  クレードル
５１  タッチパネル
５２  開閉式トップカバー
５８  ワイヤレスイヤホン用スペース
【図１】
2019195179.tif 000003
【図２】
2019195179.tif 000004
【図３】
2019195179.tif 000005
【図４】
2019195179.tif 000006
【図５】
2019195179.tif 000007
【図６】
2019195179.tif 000008
【図７】
2019195179.tif 000009
【図８】
2019195179.tif 000010
【図９】
2019195179.tif 000011
【図１０】
2019195179.tif 000012
【図１１】
2019195179.tif 000013
【図１２】
2019195179.tif 000014